(57)【要約】【課題】面倒な釣竿の洗浄を容易に行うことができ、かつ十分な洗浄力を有する釣竿洗浄ケースを提供する【解決手段】釣竿を収納できる上方に開口した縦長筐体２と、縦長筐体２の底部に設けた多孔性のエアストーン３と、エアストーン３の内部に一端側が埋設された空気供給管４とを備え、空気供給管４は、その他端側42が縦長筐体２の外部と連通するように、縦長筐体２の壁部を貫通しており、釣竿を収納した縦長筐体２に水を貯留し、空気供給管４の他端側42からエアストーン３に空気を供給することで、縦長筐体２の内部に貯留した水にエアストーン３の表面から気泡を放出するように構成した釣竿洗浄ケース11とした。【選択図】図１
2008072938.tif 000002
【特許請求の範囲】
【請求項１】
釣竿を収納できる上方に開口した縦長筐体と、
該縦長筐体の底部に設けた多孔性のエアストーンと、
該エアストーンの内部に一端側が埋設された空気供給管とを備え、
前記空気供給管は、その他端側が前記縦長筐体の外部と連通されており、
釣竿を収納した縦長筐体に水を貯留し、空気供給管の他端側からエアストーンに空気を供給することで、縦長筐体の内部に貯留した水にエアストーンの表面から気泡を放出するように構成した釣竿洗浄ケース。
【請求項２】
上下方向に多数の気泡通過孔が形成されたエアストーン保護板を備え、該エアストーン保護板を、エアストーンに隣接する上方位置で縦長筐体の内部空間を上下に仕切るように取付けた請求項１記載の釣竿洗浄ケース。
【請求項３】
エアストーン保護板が、銅製のメッシュ板である請求項２記載の釣竿洗浄ケース。
【請求項４】
縦長筐体が、その下部側壁に栓付きの水抜き孔を有する請求項１〜３のいずれか記載の釣竿洗浄ケース。
【請求項５】
縦長筐体が、楕円柱状である請求項１〜４のいずれか記載の釣竿洗浄ケース。
【請求項６】
縦長筐体を上方に伸張自在に構成することで全長を延長可能にした請求項１〜４のいずれか記載の釣竿洗浄ケースであって、
縦長筐体は、
上方に開口した円柱状の外筐体と、
該外筐体の内径よりも僅かに狭い外形で、前記外筐体に挿入された筒状の内筒体とを備え、
前記外筐体は、上端部の内周面全周に亘る第１凸部を有し、
前記内筒体は、長手方向中央部の外周面全周に亘る第２凸部を有し、
前記第１凸部または前記第２凸部の、少なくともどちらか一方は弾性部材で構成されており、
内筒体を外筐体から上方にスライドさせて第１凸部と第２凸部とを圧接状態とすることで、外筐体に対して内筒体が上方に突出した状態で固定され、縦長筐体が上方に伸張状態となるように構成した釣竿洗浄ケース。
【発明の詳細な説明】
【技術分野】
【０００１】
本発明は、釣竿を内部に収納した状態で洗浄することができる釣竿洗浄ケースに関する。
【背景技術】
【０００２】
釣竿に付着した塩分、砂、餌片等のゴミを除去して、釣竿を手入れする方法等は従来から種々提唱されている。例えば、水道蛇口から直接、又はホースを介して勢いよく出した水によって洗浄したり、あるいは、浅い容器に溜めた水で水洗すること等が行われている。しかし、これらの方法は、面倒で手間がかかる。そこで、釣竿の洗浄を容易に行うことを目的とした釣竿洗浄具が、例えば、下記特許文献１に記載されている。
【０００３】
特許文献１には、「釣竿を収納すると共に内部に水を水密状態で保持できる筐体と、釣竿の基部に装着可能な漏斗状の導水体と、釣竿の先端部に装着可能な先端支持部材を有し、該導水体は径の小さい側の開口部を釣竿の基部に装着でき、該先端支持部材は竿管内部からの水の流出を妨げないことを特徴とする釣竿洗浄具。」が開示されている。そして、これによって「自動車の動き，エンジンの振動，慣性などによって、筐体内の水が釣竿の基部側から先端側に向かって流れ、釣竿の外部では水は釣竿の基部側に向かうこととなり、このような水の循環によって、内部に釣竿を入れておくだけで竿の内部まで水洗可能な釣竿洗浄具を得ることができ、使用後の釣竿のメンテナンスが格段に容易となる。」と記載されている。
【０００４】
【特許文献１】実登３１１１７１９号公報
【発明の開示】
【発明が解決しようとする課題】
【０００５】
しかし、上記特許文献１に開示された発明は、記載されているような水の循環が生じにくく、洗浄力の点で物足りなかった。
【０００６】
本発明は、上記課題を解決するものであり、面倒な釣竿の洗浄を容易に行うことができ、かつ十分な洗浄力を有する釣竿洗浄ケースを提供するものである。
【課題を解決するための手段】
【０００７】
上記課題を解決するために本発明の釣竿洗浄ケースは、釣竿を収納できる上方に開口した縦長筐体と、縦長筐体の底部に設けた多孔性のエアストーンと、エアストーンの内部に一端側が埋設された空気供給管とを備え、空気供給管は、その他端側が縦長筐体の外部と連通されており、釣竿を収納した縦長筐体に水を貯留し、空気供給管の他端側からエアストーンに空気を供給することで、縦長筐体の内部に貯留した水にエアストーンの表面から気泡を放出するように構成した。ここで、縦長筐体は、上方に開口して釣竿を収納できるような大きさ、形状であればよく、円柱状や楕円柱状のみならず、四角柱状や五角柱状等の多角柱状であってもよい。また、釣竿洗浄ケースは、縦長筐体の上方開口部に蓋をするための、着脱自在な蓋体を備えた構成としてもよい。一方、空気供給管は、その他端側が縦長筐体の外部と連通するように、縦長筐体の壁部を貫通してもよい。
【０００８】
洗浄対象である釣竿は、畳んだり分解した状態でも依然として長尺であるため、洗浄しにくい。出願人は、このような課題を解決するべく鋭意研究開発を行った。その結果、長尺体である釣竿を有効に洗浄するためには、気泡を用いることが有効かつ合理的であることを見出した。すなわち、水中に放出された気泡は水面まで上昇し、途中で消滅しにくい。障害物等に付着しなければ、深い位置からでも水面まで上昇する。また、水圧による体積変化を無視すれば、気泡に作用する浮力は水面からの深さに関係なく一定である。このような物理現象が、長尺な釣竿を均一かつ十分に洗浄するためには好都合なのである。本発明はこのような知見に基づく。
【０００９】
上記構成の釣竿洗浄ケースを立設載置し、縦長筐体に釣竿を収納すると共に水を貯留する。そして、縦長筐体の外部に用意したエアポンプ等を用いて、空気供給管の他端側からエアストーンの内部に空気を供給すると、貯留した水にエアストーンの表面から微細な気泡が放出される。この気泡が水中を上昇し、縦立状態に収納された釣竿に作用することによって、表面等に付着した塩分、砂、餌片等のゴミが均一かつ十分に除去されるのである。
【００１０】
上下方向に多数の気泡通過孔が形成されたエアストーン保護板を備え、エアストーン保護板を、エアストーンに隣接する上方位置で縦長筐体の内部空間を上下に仕切るように取付けた釣竿洗浄ケースとすることができる。
【００１１】
エアストーンは縦長筐体の底部に取付けるが、釣竿を収納する際、釣竿の下縁がエアストーンに衝突等して、多孔質で脆いエアストーンの表面を傷つけてしまい、均一な気泡が得られなくなる可能性がある。この課題は、エアストーン保護板を、エアストーンに隣接する上方位置で、縦長筐体の内部空間を上下に仕切るように設けることで解決される。エアストーン保護板には、その上下方向に多数の気泡通過孔が形成されているため、エアストーンの表面から水中に放出された気泡の上昇を妨げにくく、釣竿に対する洗浄力を確保できる。また、エアストーン（縦長筐体の底部に設けられている）に隣接する上方位置にエアストーン保護板を設けているため、釣竿の収納スペースを確保しやすい。
【００１２】
このとき、エアストーン保護板が、銅製のメッシュ板である釣竿洗浄ケースとすることが好ましい。釣竿を洗浄した後、そのままの状態でしばらく放置しておくと、釣竿に付着していた餌片等の腐敗成分の作用で貯留している水が腐敗する可能性がある。上記構成とすることで、銅製のメッシュ板から銅イオンが水中に溶出し、この銅イオンの高い殺菌作用により、水が腐敗しにくくなる。銅イオンは、エアストーンの表面から水中に放出された気泡が水面まで上昇する流れに乗り、水中に均一拡散される。また、メッシュ板は開孔面積が大きく、水中に放出された気泡の上昇をより妨げにくい。
【００１３】
縦長筐体が、その下部側壁に栓付きの水抜き孔を有する釣竿洗浄ケースとすることもできる。これにより、釣竿の洗浄後、釣竿洗浄ケースを立設載置した状態のまま、貯留した水を排水することができる。
【００１４】
縦長筐体が、楕円柱状である釣竿洗浄ケースとすることもできる。これにより、狭い隙間に釣竿洗浄ケースを収納しやすくなる。また、横に寝かせた状態で転がりにくく、この状態で釣竿洗浄ケースを収納、運搬しやすくなる。さらに、複数の竿管に分解自在な釣竿の場合、分解された各竿管を楕円柱状の縦長筐体の内部に横一列に並べた状態で列立させることができ、釣竿を効率的に収納することができる極薄タイプの釣竿洗浄ケースとなる。
【００１５】
縦長筐体を上方に伸張自在に構成することで全長を延長可能にした釣竿洗浄ケースであって、縦長筐体は、上方に開口した円柱状の外筐体と、外筐体の内径よりも僅かに狭い外形で、外筐体に挿入された筒状の内筒体とを備え、外筐体は、その上端部の内周面全周に亘る第１凸部を有し、内筒体は、その長手方向中央部の外周面全周に亘る第２凸部を有し、第１凸部または第２凸部の、少なくともどちらか一方は弾性部材で構成されており、内筒体を外筐体から上方にスライドさせて第１凸部と第２凸部とを圧接状態とすることで、外筐体に対して内筒体が上方に突出した状態で固定され、縦長筐体が上方に伸張状態となるように構成した釣竿洗浄ケースとすることもできる。
【００１６】
縦長筐体が、上方に開口した円柱状の外筐体と、外筐体の内径よりも僅かに狭い外形で、外筐体に挿入された筒状の内筒体とを備えているため、内筒体を外筐体から上方にスライドさせて縦長筐体を伸張自在であり、釣竿洗浄ケースの全長を延長できる。また、全長を延長した際でも、第１凸部と第２凸部とが圧接状態となることで、貯留された水が漏れにくい。さらに、第２凸部は、内筒体の長手方向中央部に設けられていることから、外筐体に挿入された内筒体にブレやガタが生じにくいため、第１凸部と第２凸部とを圧接状態にしやすく、全長を容易に延長できる。また、全長を延長した状態でも内筒体のブレやガタが生じにくい。
【発明の効果】
【００１７】
本発明により、面倒な釣竿の洗浄を容易に行うことができ、かつ十分な洗浄力を有する、長尺状である釣竿の洗浄に適した釣竿洗浄ケースを提供することができる。
【発明を実施するための最良の形態】
【００１８】
以下、図を用いて、本発明の実施形態を例示説明する。図１〜図２は本発明の釣竿洗浄ケースの第一実施形態を説明するための図、図３〜図４は同第二実施形態を説明するための図、図５〜図10は同第三実施形態を説明するための図、そして図11および図12は同第四実施形態を説明するための図である。まず、図１および図２を用いて、釣竿洗浄ケースの第一実施形態について例示説明する。
【００１９】
［第一実施形態］
図１は釣竿洗浄ケースの第一実施形態を示す分解斜視図であり、図２は同斜視図である。本第一実施形態の釣竿洗浄ケース11は、図１に示す様に、縦長筐体２、エアストーン３および空気供給管４に加えて、蓋体５と蓋体螺嵌部材51を備える。
【００２０】
縦長筐体２は、円筒状の筒体部21と、この筒体部21の下端開口部に蓋をするキャップ状の底受部22とからなる。両者で構成される縦長筐体２は、上方に開口した円柱状となる。また、縦長筐体２は、釣竿を畳んだり分解した状態で内部に収納することが可能な大きさである。通常、釣竿を分解等すると80cm〜120cm程度の長さになるため、本実施形態では、縦長筐体２の長さを125cmとした。筒体部21の下端部には、空気供給管４が嵌合する切欠部210が設けられている。また、同じく筒体部21の下部側壁には水抜き孔212が設けられ、ここにゴム栓213が嵌合する。一方、筒体部21の上端開口部（縦長筐体２の上方開口部）には、蓋体５を螺入するための蓋体螺嵌部材51が取付けられる。蓋体５には上下を貫通する微小な空気抜け孔（図示せず）を設けることが好ましい。なお、蓋体螺嵌部材51を取付けずに、直接、蓋体を筒体部21の上端開口部（縦長筐体２の上方開口部）に設ける構成としてもよい。例えば、縦長筐体２の上方開口部を覆う様な形状、大きさの被せ蓋を設けてもよい。
【００２１】
エアストーン３は、液槽中で気体を分散発泡させるのに用いられる多孔質部材であれば、材質として特に限定されない。例えば、主成分としてのアルミナ粉末を焼結して作った複合材セラミックや、ガラス粉末と発泡剤を成型・焼成して作ったガラス発泡体を使用することができる。市販のエアストーンとしては、例えば、キング砥石株式会社製のいぶきエアストーン（商品名）がある。エアストーンの大きさは縦長筐体２の底部に納まる大きさであればよいが、その限りにおいて、できるだけ横断面形状の大きいことが洗浄力の面から好ましい。本実施形態では、縦長筐体２の底部空間の横断面形状より、僅かに小さい横断面形状とした。
【００２２】
空気供給管４は、エアストーン３の内部に空気を供給して、エアストーン３の表面から微細な気泡を発生させるために必要である。空気供給管４は、その一端側がエアストーン３の内部の微細気道と連通状態で埋設され、他端側42がエアストーン３の側面から突出するように、エアストーン３に突設されている。前述したいぶきエアストーン（商品名）などは、エアストーン３に空気供給管４を突設した状態で販売されている。
【００２３】
空気供給管４の一端側が埋設されたエアストーン３は、底受部22の側壁に開けた貫通孔220に空気供給管４を貫通させながら、底受部22に載置される。こうすることで、空気供給管４は、その他端側42が縦長筐体２の外部と連通するように、縦長筐体２の側壁（底受部22の側壁）を貫通したことになる。ここで、貫通孔220と空気供給管４との貫通部に隙間が生じないようにするため、両者をシリコン系接着剤等で固着することが好ましい。また、エアストーン３と底受部22も接着剤等で固着することが好ましい。そして、エアストーン３を載置した底受部22を、筒体部21の下端部に設けた切欠部210に空気供給管４が嵌合するように、筒体部21の下端開口部に取付ける。このとき、底受部22と筒体部21も接着剤で固着することが好ましい。しかし、この部分から水漏れが生じない限りにおいて、例えば、防水パッキンを介した嵌め込み方式としてもよい。なお、本実施形態では、空気供給管４を底受部22の側壁（すなわち縦長筐体２の側壁）に開けた貫通孔220に貫通させたが、空気供給管の他端側が縦長筐体の外部と連通されるのであればこれに限定されない。例えば、空気供給管の他端側がエアストーンの下面から突出するように、エアストーンに空気供給管を突設し、この空気供給管を縦長筐体の底壁に開けた貫通孔に貫通させてもよい。この場合、釣竿洗浄ケースを載置面に載置しにくくなるが、釣竿の洗浄時等は、例えば、上方から吊り下げる等すればよい。
【００２４】
本実施形態の釣竿洗浄ケース11を用いて釣竿を洗浄するには、例えば、次の方法が考えられる。まず、載置面に立設載置した釣竿洗浄ケース11の蓋体５を外して内部に釣竿（畳んだもの、または分解したものであって、基部キャップを外したもの）を縦立状態に収納した後、同じく内部に水を貯留して釣竿を水に浸漬状態とする。必要に応じて中性洗剤等の洗浄剤を加えてもよい。次に、釣竿洗浄ケース11に蓋体５を取付ける。そして、外部に用意したエアコンプレッサー（図示せず）のエア吐出口と空気供給管４の供給口（他端側42）とをエアチューブ（図示せず）で連通し、供給口（他端側42）からエアストーン３に空気を連続供給する。すると、エアストーン３から連続的に立ち昇る微細な気泡によって、縦立した釣竿が、その内部まで均一に洗浄されるのである。洗浄後は、水抜き孔212からゴム栓213を外して排水する。なお、上記方法は、釣竿洗浄ケース11に水を貯留した後、エアストーン３に空気を供給する手順を踏んだが、エアストーン３に空気を供給しながら釣竿洗浄ケース11に水を貯留してもよい。
【００２５】
この後、水抜き孔212にゴム栓213をし、釣竿洗浄ケース11に潤滑剤等を投入すると共に再度水を貯留してもよい。潤滑剤はガイドや釣竿内面の滑りを良くし釣糸の挿通抵抗を低減させて、投擲距離を増加等させるものである。この状態でエアストーン３から気泡を発生させてしばらく放置すると、エアストーン３の表面から水中に放出された気泡が水面まで上昇する流れに乗って、潤滑剤が水中に均一拡散され、釣竿の隅々にまで潤滑剤をコーティングすることができるのである。なお、本実施形態および後述する各実施形態において、逆止弁（図示せず）を備えた空気供給管４としてもよい。逆止弁は、エアストーン３に供給される空気の流れを妨げず、これと逆方向の水の流れを妨げる作用をするように空気供給管４に備えられる。
【００２６】
上記第一実施形態の釣竿洗浄ケース11は、面倒な釣竿の洗浄を容易に行うことができ、かつ十分な洗浄力を有するものである。しかし、釣竿を収納する際等、多孔質で脆いエアストーン３の表面を傷つけてしまいかねない。これを解決するには下記第二実施形態の釣竿洗浄ケースとすればよい。
【００２７】
［第二実施形態］
以下、図３および図４を用いて、釣竿洗浄ケースの第二実施形態を説明する。図３は釣竿洗浄ケースの第二実施形態を示す分解斜視図であり、図４は釣竿洗浄ケースの第二実施形態において、釣竿洗浄ケースの下部を透視状態で拡大した斜視図である。ここで、図４において、説明の都合上、筒体部21と底受部22を短い破線で表示している。なお、図３および図４において、第一実施形態と同様の構成要素については同じ符号を付し、その説明を省略する。
【００２８】
本第二実施形態の釣竿洗浄ケース12は、縦長筐体２の内部にエアストーン保護板としてのメッシュ板61を保護体６の形態として取付けた点で、前記第一実施形態と大きく異なる。なお、ゴム栓213付きの水抜き孔212（図１参照）を備えていない点でも異なるが、これを備えた構成としてもよい。
【００２９】
本実施形態の特徴であるメッシュ板61は、図４に示す様に、銅線を編んだ円形状の金網であり、その開口部が上下方向の気泡通過孔となる。そして、メッシュ板61の外縁端には円筒状フランジ62が取付けられており、両者によって上面視円形状の保護体６が構成されている。保護体６の外周形状、すなわち円筒状フランジ62の外周形状は、縦長筐体２の内周形状とほぼ重なるような大きさであり、保護体６を縦長筐体２の内部に嵌装すると、円筒状フランジ62の外側面620が縦長筐体２の内側面に圧接した状態となる。このように構成された保護体６をエアストーン３に隣接する上方位置に嵌装する。すると、メッシュ板61が、エアストーン３に隣接する上方位置で縦長筐体２の内部空間を上下に仕切るように縦長筐体２の内部に取付けられることになる。これにより、釣竿洗浄ケース12に投入された釣竿は、メッシュ板61の上に載置され、エアストーン３に接触しなくなる。なお、円筒状フランジ62の外側面620と筒体部21の内側面とは接着剤等で固着することが好ましい。
【００３０】
本実施形態では、エアストーン保護板として銅製のメッシュ板61を用いたが、これに限定されず、ステンレス製のメッシュ板やパンチングメタル、上下に多数の気泡通過孔が形成されたプラスチック板等を用いてもよい。また、本実施形態では、保護体６を縦長筐体２の内部に嵌装することで、縦長筐体２の内部空間を上下に仕切るようにメッシュ板61を取付けたが、円筒状フランジ62を設けることなく、直接、メッシュ板61を縦長筐体２の内部に取付けてもよい。例えば、メッシュ板61の外縁端を縦長筐体２の内側面に接着剤等で固着すればよい。なお、エアストーン３に、縦断面が逆凹形状である逆キャップ状に形成された、金網からなるエアストーン保護キャップを被せて、エアストーン３を保護してもよい。
【００３１】
上記第二実施形態の釣竿洗浄ケース12は、釣竿を収納する際、エアストーン３の表面を傷つけにくい。一方、上記第一実施形態および第二実施形態の釣竿洗浄ケース11,12は、釣竿の収納長さ等に応じて全長を延長できない。これを解決するには、下記第三実施形態の釣竿洗浄ケースとすればよい。
【００３２】
［第三実施形態］
以下、図５〜図10を用いて、釣竿洗浄ケースの第三実施形態を説明する。図５は釣竿洗浄ケースの第三実施形態を示す分解斜視図であり、図６は同斜視図であり、図７は図６において内筒体８を上方にスライドさせている状態を示す斜視図である。また、図８は図７におけるＰ部の拡大縦断面図であり、図９は図８の状態から内筒体８を上方にスライドして第１凸部711に第２凸部811を接触させた状態を示す拡大縦断面図であり、図10は図９の状態から内筒体８をさらに上方にスライドして第１凸部711と第２凸部811とを圧接した状態を示す拡大縦断面図である。本第三実施形態の釣竿洗浄ケース13は、図５〜図７に示す様に、縦長筐体20が外筐体７と内筒体８とを備えている点で、前記実施形態と大きく異なる。なお、図５〜図７においても、前述した実施形態と同様の構成要素については同じ符号を付し、その説明を省略する。
【００３３】
外筐体７は、図５に示すように、円筒状の外筐体筒部71と、この外筐体筒部71の下端開口部に蓋をするキャップ状の外筐体底受部72とからなる。両者で構成される外筐体７は、上方に開口した円柱状となる。外筐体７には、その上端部の内周面全周に亘って第１凸部711が形成されている。この第１凸部711は、下方に向けて形成高さが低くなるような傾斜部712（図５および図８参照）を備えており、塩化ビニル等の硬質樹脂材料で形成されている。
【００３４】
一方、内筒体８は、外筐体７の内径（外筐体筒部71の内径）よりも若干狭い外形で、外筐体７（外筐体筒部71）に挿入される筒状体である。内筒体８には、その長手方向中央部の外周面全周に亘って第２凸部811が形成されている。この第２凸部811は、上方に向けて形成高さが低くなるような傾斜部812（図５および図８参照）を備えており、ゴム系材料で形成されている。この内筒体８は、例えば、外筐体筒部71に下方から挿入され、その上端部が外筐体筒部71の上端開口部から引っ張り出される。そして、引っ張り出された上端部に蓋体螺嵌部材51を取付ける。蓋体螺嵌部材51は、外筐体７の内径（外筐体筒部71の内径）よりも大きな外形であり、内筒体８が外筐体７の内部に完全に落ち込まないように構成されている。この蓋体螺嵌部材51の螺嵌部には蓋体５が螺入される。一方、空気供給管４の一端側が埋設されたエアストーン３を、外筐体底受部72に開けた貫通孔720に空気供給管４を貫通させながら、外筐体底受部72に載置する。そして、エアストーン３を載置した外筐体底受部72を、外筐体筒部71の下部に設けた切欠部710に空気供給管４が嵌合するように、外筐体筒部71の下端開口部に取付けて図６の状態となる。この状態で、蓋体５を外して釣竿を投入し、前述した様な手順により、釣竿を洗浄することが可能である。しかし、外筐体７に内筒体８を完全に挿入した状態（図６に示す状態）の釣竿洗浄ケース13に納まりきらないような、長い釣竿を洗浄する必要がある場合には、例えば、以下の様にして縦長筐体20の長さを伸張することができる。
【００３５】
まず、内筒体８が外筐体７に挿入された図６の状態から、蓋体螺嵌部材51を把持して上方に引き上げて、図７に示す様に内筒体８を上方にスライドさせる。すると図８に示す様に第１凸部711に第２凸部811が接近する。さらに内筒体８を上方にスライドさせると、図９に示す様に第１凸部711に第２凸部811が接触し、最終的に図10に示す様に、ゴム系材料で構成された第２凸部811が変形し第１凸部711と第２凸部811が圧接状態となる。これによって、外筐体７に対して内筒体８が固定されて縦長筐体20の全長が伸張する。この状態で、蓋体５を外して長い釣竿を投入し、洗浄すればよい。
【００３６】
なお、本実施形態では、第２凸部811のみを弾性部材であるゴム系材料で構成したが、これに限定されず、第１凸部711のみ、または第１凸部711と第２凸部811の両方を弾性部材で構成してもよい。また、本実施形態では、内筒体８の長さを外筐体７の長さの半分程度に短くしたがこれに限定されず、釣竿の収納長さ等に応じて設計すればよい。しかし、外筐体７の長さと同程度にした場合は、内筒体８の下縁部が空気供給管４の周壁に上から当接し邪魔になる。そのため、内筒体８の長さを外筐体７の長さより短くすることが好ましい。さらに、内筒体８に、その長手方向上端部の外周面全周に亘って第３凸部（図示せず）を形成してもよい。第３凸部はゴム系材料で形成することが好ましい。こうすると、外筐体７（又は、外筐体筒部71）に内筒体８を完全に挿入した状態（図６に示す状態）で、外筐体７の第１凸部711と内筒体８の第３凸部（図示せず）が圧接状態となり、外筐体７と内筒体８の隙間から水漏れしにくくなるとともに、水から受ける浮力に対して内筒体８をより浮きにくくできる。第３凸部（図示せず）は、下方に向けて形成高さが低くなるような傾斜部を備えているとより好ましい。
【００３７】
上記第三実施形態の釣竿洗浄ケース13は、収納する釣竿の長さに応じて全長を延長することができる。一方、前述した全ての実施形態の釣竿洗浄ケース11,12,13は、円柱状であるため横に寝かせると転がり、この状態で釣竿洗浄ケースを収納、運搬しにくい。また、より狭い隙間に釣竿洗浄ケースを収納したいという要求もある。これを解決するには、下記第四実施形態の釣竿洗浄ケースとすればよい。
【００３８】
［第四実施形態］
最後に、図11および図12を用いて、釣竿洗浄ケースの第四実施形態を説明する。図11は釣竿洗浄ケースの第四実施形態を示す分解斜視図であり、図12は分解した釣竿Ｒ(R1,R2,R3,R4,R5の各竿管に分解されている)を図11の釣竿洗浄ケース14に収納した様子を模式的に示した上面図である。なお、図12は蓋体59を外した状態であり、便宜的に、R1,R2,R3,R4,R5の各竿管がメッシュ板619上に直立していると仮定した状態を示してある。本第四実施形態の釣竿洗浄ケース14は、縦長筐体９が楕円柱状である点で、前記実施形態と異なる。
【００３９】
楕円柱状の縦長筐体９は、図11に示す様に、楕円筒状の楕円筒体部91と、この楕円筒体部91の下端開口部に蓋をする楕円キャップ状の楕円底受部92とからなる。楕円柱状の縦長筐体９は、各竿管R1,R2,R3,R4,R5を径の大きな順に、中央部から左右に割り振って横一列に列立収納することができるような形状、大きさの楕円柱状である。楕円柱状の縦長筐体９の形状に合わせ、メッシュ板619及び保護体69、エアストーン39並びに蓋体59も上面視楕円形に構成したものを用いた。また、本実施形態では蓋体59を、楕円柱状の縦長筐体９の上方開口部を覆う様な楕円キャップ状の被せ蓋とした。
【００４０】
図12に、釣竿Ｒを分解した状態でこの釣竿洗浄ケース14に収納した様子を模式的に示す。釣竿Ｒは中通し式釣竿であり、基部キャップ（図示せず）を外して、グリップ側からR1,R2,R3,R4,R5の各竿管に分割可能なタイプを用いている。分割した各竿管はトップ部R5を除いて筒状となる。そして、楕円柱状の縦長筐体９の内部形状に合わせてR1,R2,R3,R4,R5の各竿管を収納するため、各竿管を径の大きな順（R1→R2→R3→R4→R5）に、中央部から左右に割り振って横一列に列立収納している。このように、本実施形態の釣竿洗浄ケース14は、釣竿Ｒを効率的に収納できる極薄タイプの転がりにくい洗浄ケースである。楕円柱状の縦長筐体９の内部形状は、その横断面形状が、最大径の竿管（R1）の直径より僅かに大きな短径を有し、かつ、各竿管の直径の合計値より僅かに大きな長径を有する楕円形状であることが好ましい。
【００４１】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【図面の簡単な説明】
【００４２】
【図１】釣竿洗浄ケースの第一実施形態を示す分解斜視図である。
【図２】釣竿洗浄ケースの第一実施形態を示す斜視図である。
【図３】釣竿洗浄ケースの第二実施形態を示す分解斜視図である。
【図４】釣竿洗浄ケースの第二実施形態において、釣竿洗浄ケースの下部を透視状態で拡大した斜視図である。
【図５】釣竿洗浄ケースの第三実施形態を示す分解斜視図である。
【図６】釣竿洗浄ケースの第三実施形態を示す斜視図である。
【図７】図６において内筒体を上方にスライドさせている状態を示す斜視図である。
【図８】図７におけるＰ部の拡大縦断面図である。
【図９】図８の状態から内筒体を上方にスライドして第１凸部に第２凸部を接触させた状態を示す拡大縦断面図である。
【図１０】図９の状態から内筒体をさらに上方にスライドして第１凸部と第２凸部とを圧接した状態を示す拡大縦断面図である。
【図１１】釣竿洗浄ケースの第四実施形態を示す分解斜視図である。
【図１２】分解した釣竿を図11の釣竿洗浄ケースに収納した様子を模式的に示した上面図である。
【符号の説明】
【００４３】
11,12,13,14   釣竿洗浄ケース
２,20         縦長筐体
21          筒体部
22          底受部
３,39         エアストーン
４            空気供給管
42          他端側
５,59         蓋体
６,69         保護体
61,619      メッシュ板（エアストーン保護板）
62          フランジ
７            外筐体
71          外筐体筒部
710         切欠部
711         第１凸部
72          外筐体底受部
720         貫通孔
８            内筒体
811         第２凸部
９            楕円柱状の縦長筐体
91          楕円筒体部
910         切欠部
92          楕円底受部
920         貫通孔
Ｒ            釣竿
【図１】
2008072938.tif 000003
【図２】
2008072938.tif 000004
【図３】
2008072938.tif 000005
【図４】
2008072938.tif 000006
【図５】
2008072938.tif 000007
【図６】
2008072938.tif 000008
【図７】
2008072938.tif 000009
【図８】
2008072938.tif 000010
【図９】
2008072938.tif 000011
【図１０】
2008072938.tif 000012
【図１１】
2008072938.tif 000013
【図１２】
2008072938.tif 000014